【事件の表示】
　特許第２７３４２４８号「マイクロコンピュータ装置およびプリンタ装置」の請求項１ないし５に係る特許に対する特許異議の申立てについて、次のとおり決定する。
【結論】
　訂正を認める。
　特許第２７３４２４８号の請求項１、２，４に係る特許を維持する。
【理由】
Ｉ．手続きの経緯
　本件特許第２７３４２４８号発明は、平成３年１０月２５日に特許出願され、平成１０年１月９日にその特許権の設定登録がなされ、その後、岩瀬圭一により特許異議の申立がなされ、取消理由通知がなされ、その後指定期間内である平成１１年３月９日に訂正請求がなされた。これに対して、手交により、平成１１年５月１１日付けで訂正拒絶理由を通知したところ、平成１１年５月１１日付で訂正請求書の補正がなされ、手交により、平成１１年５月２１日付けで訂正拒絶理由を通知したところ、平成１１年５月２１日付けで補正がなされたものである。
ＩＩ．訂正の適否
１．補正の適否
　平成１１年５月１１日付けの補正は、訂正明細書の特許請求の範囲の請求項１に記載されていた不明りょうな記載を明りようにすると共に、これと関連する発明の詳細な説明中の不明瞭な点を明りょうにするものであり、平成１１年５月２１日付けの補正は、訂正明細書の特許請求の範囲の請求項２に記載されていた不明りょうな記載を明りょうにすると共に、これと関連する発明の詳細な説明中の不明りょうな点を明りょうにし、また、訂正明細書の特許請求の範囲の請求項３及び５項を削除するものであるから特許請求の範囲の減縮に相当し、特許法第１２０条の４第３項において準用する同法第１３１条第２項の規定に適合するので当該補正を認める。
２．訂正の内容
（１）訂正事項ａ
　特許明細書の特許請求の範囲の請求項１に記載されている「前記タグ番号として登録すべき印刷情報をオペレータに選択させる印刷情報選択手段」を、「表示された印刷情報の中から前記タグ番号として登録すべき印刷情報をオペレータに選択させる印刷情報選択手段」と訂正する。
（２）訂正事項ｂ
　特許明細書の特許請求の範囲の請求項１に記載されている「文字情報とベクトル図形情報とビットマップ図形情報のいずれかに分類される印刷情報と（タグ番号とを対応づけて記憶し得るタグ番号登録手段と」を「文字情報とベクトル図形情報とビットマップ図形情報のいずれかに分類される印刷情報とタグ番号とを対応づけて記憶し得るタグ番号情報エリアと」と訂正する。
（３）訂正事項ｃ
　特許明細書の特許請求の範囲の請求項１に記載されている「その印刷情報選択手段により選択された印刷情報とタグ番号とを対応づけて前記タグ番号登録手段に書き込むタグ番号書込手段と」を「その印刷情報選択手段により選択された印刷情報とタグ番号とを対応づけて前記タグ番号情報エリアに書き込むタグ番号登録手段と」と訂正する。
（４）訂正事項ｄ
　特許明細書の特許請求の範囲の請求項２に記載されている「請求項１に記載のマイクロコンピュータ装置において、」とあるのを、「文字情報とベクトル図形情報とビットマップ図形情報のいずれかに分類される印刷情報とタグ番号とを対応づけて記憶し得るタグ番号情報エリアと、前記タグ番号として登録すべき印刷情報をオペレータに選択させる印刷情報選択手段と、その印刷情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したマイクロコンピュータ装置において、」と訂正する。
（５）訂正事項ｅ
　特許明細書の特許請求の範囲の請求項３及び請求項５を削除する。
（６）訂正事項ｆ
　特許明細書の、段落番号【００２２】に「【課題を解決するための手段】…（中略）…第２の観点では、…（中略）…マイクロコンピュータ装置を提供する。」とあるのを、「【課題を解決するための手段】　第１の観点では、本発明は、文字情報とベクトル図形情報とビットマップ図形情報のいずれかに分類される印刷情報とタグ番号とを対応づけて記憶し得るタグ番号情報エリアと、表示された印刷情報の中から前記タグ番号として登録すべき印刷情報をオペレータに選択させる印刷情報選択手段と、その印刷情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したことを特徴とするマイクロコンピュータ装置を提供する。第２の観点では、本発明は、上記構成のマイクロコンピュータ装置において、前記印刷情報選択手段は、複数の印刷情報に基づく画面を表示する表示手段と、前記画面上で前記印刷情報の複数の組合わせを一括してオペレータに指定させる複数印刷情報指定手段とからなることを特徴とするマイクロコンピュータ装置を提供する。」と訂正する。
（７）訂正事項ｇ
　特許明細書の、段落番号【００２３】及び【００２５】内の記載を削除する。
３．訂正の目的の適否、新規事項の有無及び拡張・変更の存否
　．訂正事項ａは、「表示された印刷情報の中から前記タグ番号として登録すべき印刷情報をオペレータに選択させる印刷情報選択手段」と限定するものであり、特許請求の範囲の減縮に該当するものである。
　．訂正事項ｂは、特許明細書の請求項１の「文字情報とベクトル図形情報とビットマップ図形情報のいずれかに分類される印刷情報とタグ番号とを対応づけて記憶し得るタグ番号登録手段」という不明りょうな記載を、「文字情報とベクトル図形情報とビットマップ図形情報のいずれかに分類される印刷情報とタグ番号とを対応づけて記憶し得るタグ番号情報エリア」という明りょうな記載に訂正するものであるから不明りょうな記載の釈明に該当するものである。
　．訂正事項ｃは、特許明細書の特許請求の範囲の請求項１の「その印刷情報選択手段により選択された印刷情報とタグ番号とを対応づけて前記タグ番号登録手段に書き込むタグ番号書込手段」という不明りょうな記載を、「その印刷情報選択手段により選択された印刷情報とタグ番号とを対応づけて前記タグ番号情報エリアに書き込むタグ番号登録手段」という明りょうな記載に訂正するものであるから不明りょうな記載の釈明に該当するものである。
　．訂正事項ｄは、訂正前の請求項１に従属形式で記載されている事項を独立形式に改めたものであり、この訂正は、明りょうでない記載の釈明に該当するものである。
　．訂正事項ｅは、請求項３及び５を削除するものであるから、この訂正は、特許請求に範囲の減縮に相当するものである。
　．訂正事項ｆは、特許請求の範囲の記載の訂正にともない、発明の詳細な説明の記載が特許請求の範囲の記載と矛盾することのないように発明の詳細な説明の記載を補正するものであるから、この訂正は、明りょうでない記載の釈明に相当するものである。
　．訂正事項ｇは、特許請求の範囲の記載の訂正にともない、発明の詳細な説明の記載が特許請求の範囲の記載と矛盾することのないように発明の詳細な説明の記載を補正するものであるから、この訂正は、明りょうでない記載の釈明に相当するものである。
　また、上記ａ〜ｇの各訂正事項は、願書に添付した明細書又は図面に記載された範囲内においてなされたものであり、実質的に特許請求の範囲を拡張又は変更するものでもない。
４．独立特許要件について
（１）訂正明細書の請求項１及び４項に係る発明
（ａ）訂正明細書の請求項１に係る発明は、その特許請求の範囲の請求項１に記載された次の事項により特定されるものである。
「文字情報とベクトル図形情報とビットマップ図形情報のいずれかに分類される印刷情報とタグ番号とを対応づけて記憶し得るタグ番号情報エリアと、表示された印刷情報の中から前記タグ番号として登録すべき印刷情報をオペレータに選択させる印刷情報選択手段、その印刷情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したことを特徴とするマイクロコンピュータ装置」
（ｂ）訂正明細書の請求項４に係る発明は、その特許請求の範囲の請求項４に記載された次の事項により特定されるものである。
「請求項１または請求項２に記載のマイクロコンピュータ装置において、前記タグ番号登録手段の記録部として、ハードディスクまたはネットワーク上のサーバを用いたことを特徴とするマイクロコンピュータ装置」
（２）引用刊行物の認定
　本件請求項１及び４項に係る発明に対して、当審が通知した取消理由で引用した刊行物１（特開昭６１−４３３３５号公報）には、「書式データを貯蔵する段階で書式データの認識番号であるＩＤを付加して貯蔵し、印刷装置側では、指定されたＩＤに対応する書式データが自己のメモリにすでに格納されていれば、印刷データのみの転送要求をし、格納されていなければ書式データの転送も要求することにより、印刷装置の印刷処理効率の向上を図るデータ転送方法」の関する発明が記載されている。
　また、刊行物２（特開昭６３−６４７７６号公報）には、「ホスト側で作成した画情報を記録装置側で編集してそのイメージをページメモリに書き込み、このページメモリから出力されるイメージをプリントアウトする画像編集処理システムにおいて、登録されていないパターンについてこれをパターン番号と共に登録する登録領域を記録装置側に用意しておき、ホスト側は新たなパターンの使用を行わせる場合にはこのパターンをこれに対応したパターン番号と共に記録装置側に供給し、このパターンについて再度の使用を行わせる場合にはこれについてのパターン番号のみを記録装置側に供給する画像編集方法」に関する発明が記載されている。
　また、刊行物３（特開平２−２０８７１６号公報）には、「文字、図形データ、制御コード等からなるデータ列を保存しておくための、読み書き可能なＲＡＭ及びディスク装置で構成したデータ列メモリ部を設け、解析部が入カバッファから取り出したデータを解析し、読み出しの制御コードであればデータ列メモリ部の指定されたデータ列から順次データを取り出して処理する文字図形出力装置」に関する発明が記載されている。
　また、刊行物４（ＥＳＣ／Ｐａｇｅ　リファレンスマニュアル）には、「プリンタの印刷制御コマンドに関し、文字、ビットマップ図形及びベクトル図形のいずれかであるかを判別させるために指定するコマンド」が記載されている。
（３）訂正明細書の請求項１及び４項に係る発明と刊行物１〜４に記載されている発明との対比・判断
（ａ）訂正明細書の請求項１に係る発明と上記刊行物１〜４に記載された発明とを対比すると、上記刊行物１〜４のいずれにも、訂正明細書の請求項１に係る発明の構成要件である、「表示された印刷情報の中からタグ番号として登録すべき印刷情報をオペレータに選択させる印刷情報選択手段」の関しての記載はなされていない。そして、訂正明細書の請求項１に係る発明はこの構成によって、刊行物１〜４に記載されている発明では予想できない格別の作用・効果を奏し得るものであるから、訂正明細書の請求項１に係る発明が上記刊行物１〜４に記載された発明から当業者が容易に発明をすることができたものとは認められない。
（ｂ）訂正明細書の請求項４に係る発明と上記刊行物１〜４に記載された発明とを対比すると、訂正明細書の請求項４に係る発明は、上記訂正明細書の請求項１に係る発明を更に限定したものであるので、訂正明細書の請求項４に係る発明が上記刊行物１〜４に記載された発明から当業者が容易に発明をすることができたものとは認められない。
　したがって、上記刊行物１〜４に記載された発明をもって、訂正明細書の請求項１及び請求項４に係る発明が特許出願の際独立して特許を受けることができない発明とすることはできない。
（４）むすび
　以上のとおりであるから、上記訂正は、特許法第１２０条の４第２項及び同条第３項で準用する同法第１２６条第２−第４項の規定に適合するので、当該訂正を認める。
ＩＩＩ．特許異議申立について
１．申立理由の概要
　申立人　岩瀬圭一は、本件請求項３に係る特許発明は、甲第１号証（特開昭６１−４３３３５号公報）あるいは甲第２号証（特開昭６３−６４７７６号公報）あるいは甲第３号証（特開平２−２０８７１６号公報）と同一であるので、特許法第２９条第１項３号の規定により特許を受けることができず、また、本件請求項１，３，４及び５項に係る発明は、甲第１号証〜甲第３号証に記載された発明及び甲第４号証（ＥＳＣ／Ｐａｇｅリファレンスマニュアルの抜粋）から推認される当該特許出願時の技術常識に基づいて、その発明の属する技術の分野における通常の知識を有するものが容易に発明をすることができたものであり、特許法第２９条第２項の規定により特許を受けることができないものであるから、特許法第１１３条第１項第２号の規定に該当し、本件特許は取り消されるべきものである、と主張している。
２．判断
　平成１１年５月２１日付けの手続補正書によって、本件請求項３及び５項に係る発明は削除されたので、本件請求項３及び５項に係る発明に対する特許異議申立はその対象が存在しないものとなった。
　また、訂正明細書の請求項１及び請求項４に係る発明は、上記ＩＩ．４の項で述べたように、取消理由通知で示した刊行物１〜４に記載された発明から当業者が容易に発明をすることができたものとすることはできない。
　また、他に訂正明細書の請求項１及び請求項４に係る特許を取り消すべき理由を発見しない。
　よって、結論のとおり決定する。
【異議決定日】
平成１１年６月２８日（１９９９．６．２８）
【訂正の要旨】
訂正の要旨
▲１▼訂正事項ａ
　
特許第２７３４２４８号発明の明細書中特許請求の範囲の請求項１を，特許請求の範囲の減縮及び明りょうでない記載の釈明を目的として、「文字情報とベクトル図形情報とビットマップ図形情報のいずれかに分類される印刷情報とタグ番号とを対応づけて記憶し得るタグ番号情報エリアと、表示された印刷情報の中から前記タグ番号として登録すべき印刷情報をオペレータに選択させる印刷情報選択手段、その印刷情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したことを特徴とするマイクロコンピュータ装置。」と訂正する。
▲２▼訂正事項ｂ
　特許第２７３４２４８号発明の明細書中特許請求の範囲の請求項２において「請求項１に記載のマイクロコンピュータ装置において、」とあるのを、「文字情報とベクトル図形情報とビットマップ図形情報のいずれかに分類される印刷情報とタグ番号とを対応づけて記憶し得るタグ番号情報エリアと、前記タグ番号として登録すべき印刷情報をオペレータに選択させる印刷情報選択手段と、その印刷情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したマイクロコンピュータ装置において、」と訂正する。
▲３▼訂正事項Ｃ
　特許第２７３４２４８号発明の明細書中特許請求の範囲の請求項３及び請求項５を削除する。
▲４▼訂正事項ｄ
　特許第２７３４２４８号発明の明細書を本件訂正請求書に添付された訂正明細書のとおりに、すなわち、段落番号【００２２】に「【課題を解決するための手段】…（中略）…第２の観点では、…（中略）…マイクロコンピュータ装置を提供する。」とあるのを、明瞭でない記載の釈明を目的として、「【課題を解決するための手段】　第１の観点では、本発明は、文字情報とベクトル図形情報とビットマップ図形情報のいずれかに分類される印刷情報とタグ番号とを対応づけて記憶し得るタグ番号情報エリアと、表示された印刷情報の中から前記タグ番号として登録すべき印刷情報をオペレータに選択させる印刷情報選択手段と、その印情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したことを特徴とするマイクロコンピュータ装置を提供する。第２の観点では、本発明は、上記構成のマイクロコンピュータ装置において、前記印刷情報選択手段は、複数の印刷情報に基づく画面を表示する表示手段と、前記画面上で前記印刷情報の複数の組合わせを一活してオペレータに指定させる複数印刷情報指定手段とからなることを特徹とするマイクロコンピュータ装置を提供する。」と訂正する。
▲５▼訂正事項ｅ
　特許第２７６４２４８号発明の明細書を本件訂正請求書に添付された訂正明細書のとおりに、すなわち、段落番号【００２３】に「第３の観点では…（中略）…プリンタ装置を提供する。」とあるのを、段落番号【００２５】に「第３の観点によるプリンタ装置によれば…（中略）…印刷することが出来る。」とあるのを、明瞭でない記載の釈明を目的として、段落番号【００２３】及び【００２５】内の記載を削除する。
（５４）【発明の名称】
マイクロコンピュータ装置およびプリンタ装置
（５７）【特許請求の範囲】
　　【請求項１】　文字情報とベクトル図形情報とビットマップ図形情報のいずれかに分類される印刷情報とタグ番号とを対応づけて記憶し得るタグ番号情報エリアと、表示された印刷情報の中から前記タグ番号として登録すべき印刷情報をオペレータに選択させる印刷情報選択手段、その印刷情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したことを特徴とするマイクロコンピュータ装置。
　　【請求項２】　文字情報とベクトル図形情報とビットマップ図形情報のいずれかに分類される印刷情報とタグ番号とを対応づけて記憶し得る
タグ番号情報エリア
タグ番号情報エリア
タグ番号登録手段
タグ番号情報エリア
タグ番号情報エリア
　　【請求項３】　
（削除）
　　【請求項４】　請求項１または請求項２に記載のマイクロコンピュータ装置において、前記タグ番号登録手段の記録部として、ハードディスクまたはネットワーク上のサーバを用いたことを特徴とするマイクロコンピュータ装置。
　　【請求項５】　
（削除）
【発明の詳細な説明】
　　　【０００１】
　　【産業上の利用分野】
　本発明は、マイクロコンピュータ装置およびプリンタ装置に関し、さらに詳しくは、印刷情報を送信するマイクロコンピュータ装置および送信された印刷情報に基づいて印刷を行うプリンタ装置に関する。
　　　【０００２】
　　【従来の技術】
　図１６は、従来のマイクロコンピュータ装置の全体構成図である。
　このマイクロコンピュータ装置（６０１）は、キーボード（８）と，メモリ（９）と，中央処理装置（１０）と，表示装置（１１）と，補助記憶装置（１２）と，インタフェース（１３）から構成されており、プリンタ装置（７０１）に接続されている。
　　　【０００３】
　キーボード（８）は、印刷情報を作成するオペレータの指示を受け付ける。
　メモリ（９）は、印刷情報表示手段（９ａ）と，印刷情報出力手段（９ｂ）と，印刷情報格納手段（９ｃ）と，印刷情報テーブル（９ｄ）を格納する。
　印刷情報テーブル（９ｄ）は、文字情報テーブル（９ｄ１）と，ベクトル図形情報テーブル（９ｄ２）と，ビットマップ図形情報テーブル（９ｄ３）からなる。
　中央処理装置（１０）は、印刷情報表示手段（９ａ）により作成された印刷情報を表示装置（１１）に表示し、印刷情報格納処理を実行する。
　補助記憶装置（１２）は、フロッピィディスクと，そのフロッピィディスクをドライブするフロッピィディスクドライブから構成され（図示省略）、印刷情報を記憶する。
　インタフェース（１３）は、このマイクロコンピュータ装置（６０１）と，プリンタ装置（７０１）とを接続する。
　　　【０００４】
　図１７は、印刷情報出力処理（詳細後述）に先立って、作成された印刷情報を分類し、印刷情報テーブル（９ｄ）に格納する印刷情報格納手段（９ｃ）による印刷情報格納処理のフローチャートである。
　表示装置（１１）に表示された印刷情報の中から印刷情報を一つ選択する（ステップＳＵ１）。
　　　【０００５】
　選択された印刷情報が図形情報であるか否か判定する（ステップＳＵ２）。図形情報であった場合、ステップＳＵ３に進む。図形情報でなかった（即ち、文字情報の）場合、ステップＳＵ４に進む。
　　　【０００６】
　ステップＳＵ３では、ステップＳＵ２で判定した図形情報がベクトル図形情報であるか否か判定する。ベクトル図形情報であった場合、ステップＳＵ５に進む。ベクトル図形情報でなかった（即ち、ビットマップ図形情報の）場合、ステップＳＵ６に進む。
　ステップＳＵ４では、ステップＳＵ２で判定した文字情報を、文字情報テーブル（９ｄ１）に格納する。
　　　【０００７】
　ステップＳＵ５では、ステップＳＵ３で判定したベクトル図形情報を、ベクトル図形情報テーブル（９ｄ２）に格納する。
　ステップＳＵ６では、ステップＳＵ３で判定したビットマップ図形情報をビットマップ図形情報テーブル（９ｄ３）に格納する。
　次の印刷情報を選択する（ステップＳＵ７）。
　　　【０００８】
　まだ選択していない印刷情報があるか否か判定する（ステップＳＵ８）。印刷情報が残っている場合、ステップＳＵ２に戻る。印刷情報が残っていない場合、印刷情報格納処理を終了する。
　　　【０００９】
　図１８は前記印刷情報格納手段（９ｃ）によってメモリに格納した印刷情報をプリンタ装置（７０１）に送り印刷を実行させる印刷情報出力手段（９ｂ）の処理のフローチャ−トである。
　文字情報テーブル（９ｄ１）に格納された文字情報を読み出し、プリンタ装置（７０１）へ送信する（ステップＳＫ１）。
　ベクトル図形情報テーブル（９ｄ２）に格納されたベクトル図形情報を読み出し、プリンタ装置（７０Ｔ）へ送信する（ステップＳＫ２）。
　ビットマップ図形情報テーブル（９ｄ３）に格納されたビットマップ図形情報を読み出し、プリンタ装置（７０１）へ送信する（ステップＳＫ３）。
　　　【００１０】
　図１９は従来のプリンタ装置（７０１）の全体構成図である。
　プリンタ装置（７０１）は、中央処理装置（２），ＲＯＭ（３），ＲＡＭ（４），インタフェース（５），出力部（６）から構成され、マイクロコンピュータ装置（７）に接続している。
　　　【００１１】
　ＲＯＭ（３）は、印刷実行手段（３ａ）と，外字格納手段（３ｂ）と，テキスト格納エリア（３ｃ）を格納する。
　ＲＡＭ（４）は、外字格納エリア（４ａ）と，ワークエリア（４ｂ）を格納する。
　インタフェース（５）は、このプリンタ装置（７０１）と，マイクロコンピュータ装置（７）とを接続する。
　出力部（６）は、印刷情報を紙面上に印刷する。
　　　【００１２】
　図２０は、印刷情報の印刷を実行する印刷実行手段（３ａ）による印刷実行処理のフローチャ−トである。
　マイクロコンピュータ装置（７）から送られた印刷情報をＲＡＭ（４）のワークエリア（４ｂ）に格納する（ステップＳＸ１）。
　　　【００１３】
　ワークエリア（４ｂ）がフルになったか否か判定する（ステップＳＸ２）。フルになった場合、ステップＳＸ３に進む。フルになっていない場合、ステップＳＸ１に戻る。
　ステップＳＸ３では、ワークエリア（４ｂ）に格納した最初の印刷情報を読み出すと共に、ワークエリア（４ｂ）からその印刷情報を消去する
　　　【００１４】
　ステップＳＸ６では、読み出された印刷情報が文字情報であるか否か判定する。
文字情報であった場合、ステップＳＸ７に進む。文字情報でなかった場合、ステップＳＸ８に進む。
　ステップＳＸ７では、テキスト格納エリア（３ｃ）から該当文字情報を読み出し、出力部（６）に該当文字情報による印刷を実行させる。
　　　【００１５】
　ステップＳＸ８では、ステップＳＸ６で判定した印刷情報がベクトル図形情報であるか否か判定する。ベクトル図形情報であった場合、ステップＳＸ９に進む。ベクトル図形情報でなかった場合、ステップＳＸ１０に進む。
　出力部（６）に、ワークエリア（４ｂ）の該当ベクトル図形情報による印刷を実行させる（ステップＳＸ９）。
　出力部（６）に、ビットマップ図形情報による印刷を実行させる（ステップＳＸ１０）。
　　　【００１６】
　ワークエリア（４ｂ）の次の印刷情報を読み出すと共に、ワークエリア（４ｂ）からその印刷情報を消去する（ステップＳＸ１１）。
　ワークエリア（４ｂ）に選択していない印刷情報があるか否か判定する（ステップＳＸ１２）。ある場合、ステップＳＸ６に戻る。ない場合、ステップＳＸ１３に進む。
　　　【００１７】
　ステップＳＸ１３では、マイクロコンピュータ装置（７）から印刷情報を全て送信されたか否か判定する。送信された場合、印刷実行処理を終了する。送信されていない場合、ステップＳＸ１に戻る。
　　　【００１８】
　　【発明が解決しようとする課題】
　上記従来のマイクロコンピュータ装置（６０１）では、印刷情報を印刷する場合に、全ての印刷情報をプリンタ装置（７０１）へ出力する必要があるので、印刷したい図形が複雑になるほど出力する情報量が多くなり、印刷情報を出力する時間が長くなる問題点があった。
　　　【００１９】
　そこで、本発明の第１の目的は、出力する情報量を少なくし、印刷情報を出力する時間を短縮することにある。
　　　【００２０】
　また、上記従来のプリンタ装置（７０１）では、印刷情報を印刷する場合に、全ての印刷情報をマイクロコンピュータ装置（６０１）から入力する必要があるので、印刷する図形が複雑になるほど入力される情報量が多くなり、印刷情報を入力する時間が長くてなる問題点があった。
　　　【００２１】
　そこで、本発明の第２の目的は、入力される情報量を少なくし、印刷情報を入力する時間を短縮することにある。
　　　【００２２】
　　【課題を解決するための手段】
　第１の観点では、本発明は、文字情報とベクトル図形情報とビットマップ図形情報のいずれかに分類される印刷情報とタグ番号とを対応づけて記憶し得るタグ番号情報エリアと、表示された印刷情報の中から前記タグ番号として登録すべき印刷情報をオペレータに選択させる印刷情報選択手段と、その印刷情報選択手段により選択された印刷情報とタグ番号とを対応づけて前記タグ番号情報エリアに書き込むタグ番号登録手段と、作成した印刷情報のうち前記タグ番号情報エリアに登録された印刷情報については当該タグ番号を印刷タグ番号として格納する印刷タグ番号格納手段と、作成した印刷情報のうち前記タグ番号情報エリアに登録されていない印刷情報については当該印刷情報を文字情報とベクトル図形情報とビットマップ図形情報のいずれかに区分して格納する印刷情報格納手段と、前記印刷タグ番号格納手段から前記印刷タグ番号を読み出して外部へ出力する印刷タグ番号出力手段と、前記印刷情報格納手段から前記印刷情報を読み出して外部へ出力する印刷情報出力手段とを具備したことを特徴とするマイクロコンピュータ装置を提供する。
　第２の観点では、本発明は、上記構成のマイクロコンピュータ装置において、前記印刷情報選択手段は、複数の印刷情報に基づく画面を表示する表示手段と、前記画面上で前記印刷情報の複数の組合わせを一括してオペレータに指定させる複数印刷情報指定手段とからなることを特徴とするマイクロコンピュータ装置を提供する。
　　　【００２３】　
（削除）
　　　【００２４】
　　【作用】
　第１の観点によるマイクロコンピュータ装置によれば、印刷タグ番号出力手段は、印刷情報を印刷する場合にプリンタ装置へ送る印刷情報の中でタグ番号の付いた文字や図形は、そのタグ番号を送るだけでよいので送る情報量が少なくてすみ、プリンタ装置への印刷情報送信時間を短縮することが出来る。また、タグ番号として登録すべき印刷情報をオペレータが印刷情報選択手段を用いて任意に選択できるので、使用頻度が高く、情報量の大幅な低減が期待できる印刷情報のみについてタグ番号化すると共に、使用頻度が低く、情報量の低減が期待できない印刷情報については敢えてタグ番号化しないことが可能となる（使用頻度の低い印刷情報のタグ番号化により却ってデータ転送量が増大する弊害を防止できる）。なお、作成した印刷情報のうちタグ番号化されない印刷情報については、印刷情報出力手段が、文字情報，ベクトル図形情報，ビットマップ図形情報のいずれかとして出力するので、印刷情報の転送には支障を生じない。
　第２の観点によるマイクロコンピュータ装置によれば、オペレータが画面を見ながら印刷情報の使用頻度などを判断し、タグ番号として登録する価値の高い印刷情報の組合わせを一括して任意に指定できるから、印刷情報とタグ番号との対応付けをいっそう適切かつ容易に行うことが出来る。
　　　【００２５】　
（削除）
　　　【００２６】
　　【実施例】
　以下、本発明の実施例を図を用いてさらに詳細に説明する。なお、これにより本発明が限定されるものではない。
−第１実施例−
　図１は、本発明のマイクロコンピュータ装置の第１実施例の全体構成図である。
　このマイクロコンピュータ装置（１）は、キーボード（８）と，メモリ（９）と，中央処理装置（１０）と，表示装置（１１）と，補助記憶装置（１２）と，インタフェース（１３）から構成されており、プリンタ装置（１０１）に接続されている。
　　　【００２７】
　キーボード（８）は、印刷情報を作成するオペレータの指示を受け付ける。
　メモリ（９）は、印刷情報表示手段（９ａ）と，印刷情報出力手段（９ｂ）と，印刷情報格納手段（９ｃ）と，印刷情報テーブル（９ｄ）と，タグ番号情報エリア（９ｅ）と，タグ番号登録手段（９ｆ）を格納する。
　印刷情報テーブル（９ｄ）は、文字情報テーブル（９ｄ１）と，ベクトル図形情報テーブル（９ｄ２）と，ビットマップ図形情報テーブル（９ｄ３），タグ番号情報テーブル（９ｄ４）からなる。
　中央処理装置（１０）は、印刷情報表示手段（９ａ）により作成された印刷情報を表示装置（１１）に表示し、印刷情報格納処理を実行する。
　補助記憶装置（１２）は、フロッピィディスクと，そのフロッピィディスクをドライブするフロッピィディスクドライブから構成され（図示省略）、印刷情報を記憶する。
　インタフェース（１３）は、このマイクロコンピュータ装置（１）と，プリンタ装置（１０１）とを接続する。
　　　【００２８】
　図２は、タグ番号登録処理（詳細後述）に先立って、作成された印刷情報を分類し、印刷情報テ−ブル（９ｄ）に格納する印刷情報格納手段（９ｃ）による印刷情報格納処理のフローチャートである。
　表示装置（１１）に表示された印刷情報の中から印刷情報を一つ選択する（ステップＳＵ１）。
　　　【００２９】
　選択された印刷情報が図形情報であるか否か判定する（ステップＳＵ２）。図形情報であった場合、ステップＳＵ３に進む。図形情報でなかった（即ち、文字情報の）場合、ステップＳＵ４に進む。
　ステップＳＵ３では、ステップＳＵ２で判定した図形情報がベクトル図形情報であるか否か判定する。ベクトル図形情報であった場合、ステップＳＵ５に進む。ベクトル図形情報でなかった（即ち、ビットマップ図形情報の）場合、ステップＳＵ６に進む。
　ステップＳＵ４では、ステップＳＵ２で判定した文字情報を、文字情報テーブル（９ｄ１）に格納する。
　　　【００３０】
　ステップＳＵ５では、ステップＳＵ３で判定したベクトル図形情報を、ベクトル図形情報テーブル（９ｄ２）に格納する。
　ステップＳＵ６では、ステップＳＵ３で判定したビットマップ図形情報をビットマップ図形情報テーブル（９ｄ３）に格納する。
　次の印刷情報を選択する（ステップＳＵ７）。
　　　【００３１】
　まだ選択していない印刷情報があるか否か判定する（ステップＳＵ８）。印刷情報が残っている場合、ステップＳＵ２に戻る。印刷情報が残っていない場合、印刷情報格納処理を終了する。
　　　【００３２】
　図３は、タグ番号をタグ番号情報エリア（９ｅ）に登録するタグ番号登録手段（９ｆ）によるタグ番号登録処理のフローチャートである。
　マイクロコンピュータ装置（１）のオペレータは、表示装置（１１）に表示された印刷情報の中からタグ番号登録したい印刷情報（複数の組合せも可能）を選択する（ステップＳＴ１）。
　　　【００３３】
　タグ番号登録を以前に行ったか否か判定する（ステップＳＴ２）。以前に行った場合、ステップＳＴ４に進む。以前に行っていない場合、ステップＳＴ３に進む。
　ステップＳＴ３では、タグ番号ｊに１を代入する。
　ステップＳＴ４では、ステップＳＴ１で選択された印刷情報をタグ番号情報エリア（９ｅ）のタグ番号ｊに登録する。
　　　【００３４】
　タグ番号ｊを印刷情報テーブル（９ｄ）に格納する（ステップＳＴ５）。
　タグ番号情報エリア（９ｅ）のタグ番号ｊと，そこに登録した印刷情報を読み出し、プリンタ装置（１０１）へ送る（ステップＳＴ６）。（印刷情報が送られたプリンタ装置（１０１）側の処理は後述）
　印刷情報テーブル（９ｄ）から、タグ番号情報エリア（９ｅ）に格納した印刷情報を消去する（ステップＳＴ７）。
　タグ番号ｊの値を１だけ増やし（ステップＳＴ８）、タグ番号登録手段（９ｆ）での処理を終了する。
　　　【００３５】
　図４は、タグ番号登録処理前と，タグ番号登録処理後の比較例示図である。
　タグ番号登録処理後の画面（１４ｂ）は、タグ番号登録処理前に表示された画面（１４ａ）の一点鎖線で囲んだ部分（円と，正方形の組合せ）の印刷情報をタグ番号登録したことを示している。
　このため、タグ番号登録処理前に格納されていた円と正方形のベクトル図形情報は、タグ番号登録処理後には、タグ番号情報エリア（９ｅ）のタグ番号３に移って格納されている。
　そして、タグ番号登録処理後には、タグ番号情報テーブル（９ｄ４）に、タグ番号（＝３）が新たに追加されている。
　　　【００３６】
　図５は、印刷情報をプリンタ装置（１０１）に送信する、印刷情報出力手段（９ｂ）による印刷情報出力処理のフローチャートである。
　文字情報テーブル（９ｄ１）に格納された文字情報を読み出し、プリンタ装置（１０１）へ送信する（ステップＳＫ１）。
　ベクトル図形情報テーブル（９ｄ２）に格納されたベクトル図形情報を読み出し、プリンタ装置（１０１）へ送信する（ステップＳＫ２）。
　ビットマップ図形情報テーブル（９ｄ３）に格納されたビットマップ図形情報を読み出し、プリンタ装置（１０１）へ送信する（ステップＳＫ３）。
　タグ番号情報テーブル（９ｄ４）に格納されたタグ番号情報を読み出し、プリンタ装置（１０１）へ送信する（ステップＳＫ４）。
　　　【００３７】
　上記第１実施例によるマイクロコンピュータ装置（１）によれば、印刷時にプリンタ装置へ送る印刷情報の中で、タグ番号の登録してある図形情報は、そのタグ番号を送信するだけでよいので、プリンタ装置への印刷情報の送信情報量が減少し、送信時間を短縮することが出来る。
　また、補助記憶装置（１２）のフロッピィディスクに記録したタグ番号情報エリア（９ｅ）の内容を他のマイクロコンピュータ装置と共有することにより、タグ番号登録処理の作業を軽減することが出来る。
　　　【００３８】
　図６は、本発明のプリンタ装置の第１実施例の全体構成図である。
　このプリンタ装置（１０１）は、中央処理装置（２），ＲＯＭ（３），ＲＡＭ（４），インタフェース（５），出力部（６）から構成され、マイクロコンピュータ装置（１）に接続している。
　ＲＯＭ（３）は、印刷実行手段（３ａ）と，外字格納手段（３ｂ）と，テキスト格納エリア（３ｃ）と，タグ番号情報登録手段（３ｄ）を格納する。
　ＲＡＭ（４）は、外字格納エリア（４ａ）と，ワークエリア（４ｂ）と，タグ番号情報登録エリア（４ｃ）を格納する。
　インタフェース（５）は、このプリンタ装置（１０１）と，マイクロコンピュータ装置（１）とを接続する。
　出力部（６）は、印刷情報を紙面上に印刷する。
　　　【００３９】
　図７は、印刷情報とその印刷情報に対応するタグ番号とを、タグ番号情報登録エリア（４０）に登録する、タグ番号情報登録手段（３ｄ）によるタグ番号情報登録処理のフローチャートである。
　ステップＳＴ２〜ＳＴ３は、図３のステップＳＴ２〜ＳＴ３と同じ処理である。
　マイクロコンピュータ装置（１）から送られたタグ番号情報を、ＲＡＭ（４）
のタグ番号情報登録エリア（４ｃ）のタグ番号ｊに格納する（ステップＳＬ１）。
　ステップＳＴ８は、図３のステップＳＴ８と同じ処理である。
　　　【００４０】
　図８は、印刷を実行する印刷実行手段（３ａ）による印刷実行処理のフローチャートである。
　マイクロコンピュータ装置（１）から送られた印刷情報をＲＡＭ（４）のワークエリア（４ｂ）に格納する（ステップＳＸ１）。
　　　【００４１】
　ワークエリア（４ｂ）がフルになったか否か判定する（ステップＳＸ２）。フルになった場合、ステップＳＸ３に進む。フルになっていない場合、ステップＳＸ１に戻る。
　ステップＳＸ３では、ワークエリア（４ｂ）に格納した最初の印刷情報を読み出すと共に、ワークエリア（４ｂ）からその印刷情報を消去する
　　　【００４２】
　読み出した印刷情報が、タグ番号情報であるか否か判定する（ステップＳＸ４）。
タグ番号情報であった場合、ステップＳＸ５に進む。タグ番号情報でなかった場合、ステップＳＸ６に進む。
　ステップＳＸ５では、タグ番号情報登録エリア（４ｃ）から、該当タグ番号の印刷情報（ビットマップ図形情報またはベクトル図形情報）を読み出し、出力部（６）に該当タグ番号の印刷情報による印刷を実行させる。
　　　【００４３】
　ステップＳＸ６では、ステップＳＸ４で判定した印刷情報が文字情報であるか否か判定する。文字情報であった場合、ステップＳＸ７に進む。文字情報でなかった場合、ステップＳＸ８に進む。
　ステップＳＸ７では、テキスト格納エリア（３ｃ）から該当文字情報を読み出し、出力部（６）に該当文字情報による印刷を実行させる。
　　　【００４４】
　ステップＳＸ８では、ステップＳＸ６で判定した印刷情報がベクトル図形情報であるか否か判定する。ベクトル図形情報であった場合、ステップＳＸ９に進む。
ベクトル図形情報でなかった場合、ステップＳＸ１０に進む。
　出力部（６）に、ワークエリア（４ｂ）の該当ベクトル図形情報による印刷を実行させる（ステップＳＸ９）。
　出力部（６）に、ビットマップ図形情報による印刷を実行させる（ステップＳＸ１０）。
　　　【００４５】
　ワークエリア（４ｂ）の次の印刷情報を読み出すと共に、ワークエリア（４ｂ）からその印刷情報を消去する（ステップＳＸ１１）。
　　　【００４６】
　ワークエリア（４ｂ）に選択していない印刷情報があるか否か判定する（ステップＳＸ１２）。ある場合、ステップＳＸ４に戻る。ない場合、ステップＳＸ１３に進む。
　　　【００４７】
　ステップＳＸ１３では、マイクロコンピュータ装置（１）から印刷情報を全て送信されたか否か判定する。送信された場合、印刷実行処理を終了する。送信されていない場合、ステップＳＸ１に戻る。
　　　【００４８】
　上記第１実施例によるプリンタ装置（１０１）によれば、マイクロコンピュータ装置（１）から送信されたタグ番号に対しては、予めタグ番号情報登録エリア（４ｃ）に格納してある印刷情報にもとづいて印刷するので、印刷時間を短縮することが出来る。
　　　【００４９】
　−第２実施例−
　図９は、本発明の第２実施例によるマイクロコンピュータ装置（２０１）の全体構成図である。
　このマイクロコンピュータ装置（２０１）は、ハードディスクインタフェース（１８）と，ハードディスク（１９）を、図１のマイクロコンピュータ装置（１）に追加し、タグ番号情報エリア（９ｅ）をハードディスク（１９）内に移設したものである。
　　　【００５０】
　上記第２実施例のマイクロコンピュータ装置（２０１）によれば、第１実施例の効果に加えて、ハードディスク（１９）を用いることにより、タグ番号情報エリア（９ｅ）の拡充を容易に行うことが出来る。
　　　【００５１】
　−第３実施例−
　図１０は、本発明の第３実施例によるマイクロコンピュータ装置（３０１）の全体構成図である。
　このマイクロコンピュータ装置（３０１）は、図１のマイクロコンピュータ装置（１）とほぼ同じ構成である。但し、このマイクロコンピュータ装置（３０１）は、タグ番号情報エリア（９ｅ）を、ネットワーク（２３）上のファイルサーバ（２１）のディスク（２２）内に移設している。
　　　【００５２】
　図１１は、タグ番号登録処理のフローチャートである。
　ステップＳＴ１は、図３のステップＳＴ１と同じ処理である。
　タグ番号ｊの値を、タグ番号情報エリア（９ｅ）の最終タグ番号に１を加えた値とする（ステップＳＶ１）。
　ステップＳＴ１で選択された印刷情報をファイルサーバ（２１）のディスク（２２）のタグ番号情報エリア（９ｅ）のタグ番号ｊに登録する（ステップＳＶ２）。
　ステップＳＴ５，ＳＴ７は、図３のステップＳＴ５，ＳＴ７と同じ処理である。
　　　【００５３】
　図１２は、印刷情報出力処理のフローチャートである。
　ステップＳＷ１〜ＳＷ４は、図５のステップＳＫ１〜ＳＫ４とほぼ同じ処理である。但し、ステップＳＷ１〜ＳＷ４では、印刷情報（文字情報，ベクトル図形情報，ビットマップ図形情報，タグ番号情報）をネットワーク（２３）経由でプリンタ装置（１０１）に送信する。
　　　【００５４】
　上記第３実施例のマイクロコンピュータ装置（３０１）によれば、第１実施例の効果に加えて、ネットワーク（２３）に接続したマイクロコンピュータ装置間で、ファイルサーバ（２１）のディスク（２２）に格納されたタグ番号情報エリア（９ｅ）を共有することが出来るので、タグ番号情報エリア（９ｅ）の拡充と，タグ番号登録処理の作業の一層の軽減が容易である。
　　　【００５５】
　−第４実施例−
　図１３は、本発明の第４実施例によるプリンタ装置（４０１）の全体構成図である。
　このプリンタ装置（４０１）は、ハードディスクインタフェース（１５）と，ハードディスク（１６）と，補助記憶装置（１７）を、図６のプリンタ装置（１０１）に追加し、タグ番号情報登録エリア（４ｃ）をハードディスク（１６）内に移設したものである。
　補助記憶装置（１７）は、フロッピィディスクおよびフロッピィディスクをドライブするフロッピィディスクドライブから構成され、タグ番号情報登録エリア（４ｃ）の内容を記憶する。（図示省略）
　　　【００５６】
　上記第４実施例によるプリンタ装置（４０１）によれば、第１実施例の効果に加えて、ハードディスク（１６）を用いることにより、タグ番号情報登録エリア（４ｃ）の拡充を容易に行うことが出来る。
　また、補助記憶装置（１７）のフロッピィディスクに記録したタグ番号情報登録エリア（４ｃ）の内容を他のプリンタ装置と共有することにより、タグ番号情報登録処理の作業を軽減することが出来る。
　　　【００５７】
−第５実施例−
　図１４は、本発明の第５実施例によるプリンタ装置（５０１）の全体構成図である。
　このプリンタ装置（５０１）は、図６のプリンタ装置（１０１）とほぼ同じ構成である。但し、このプリンタ装置（５０１）は、タグ番号情報登録エリア（４ｃ）を、ネットワーク（２３）上のファイルサーバ（２１）のディスク（２２）内に移設している。
　　　【００５８】
　図１５は、印刷実行処理のフローチャートである。
　ネットワーク（２３）を経由してマイクロコンピュータ装置（１）から送られた印刷情報をＲＡＭ（４）のワークエリア（４ｂ）に格納する（ステップＳＹ１）。
　ステップＳＸ２〜ＳＸ４は、図８のステップＳＸ２〜ＳＸ４と同じ処理である。
　ファイルサーバのディスクのタグ番号情報テーブルから、該当タグ番号の印刷情報を読み出し、出力部（６）に該当タグ番号の印刷情報による印刷を実行させる（ステップＳＹ５）。
　ステップＳＸ６〜ＳＸ１３は、図８のステップＳＸ６〜ＳＸ１３と同じ処理である。
　　　【００５９】
　上記第５実施例のプリンタ装置（５０１）によれば、第１実施例の効果に加えて、ネットワーク（２３）上のプリンタ装置間で、ファイルサーバ（２１）のディスク（２２）に格納されたタグ番号情報登録エリア（４０）を共有することが出来るので、タグ番号情報登録エリア（４ｃ）の拡充と，タグ番号登録処理の作業の一層の軽減が容易である。
　また、補助記憶装置（１７）のフロッピィディスクに記録したタグ番号情報登録エリア（４０）の内容を他のプリンタ装置と共有することにより、タグ番号情報登録処理の作業を軽減することが出来る。
　　　【００６０】
−その他の実施例−
　上記実施例では、タグ番号情報登録エリアをハードディスク装置やファイルサーバに設定するものとしたが、これに代えて又は加えて、印刷情報テーブルをハードディスク装置やファイルサーバに設定してもよい。
　この場合、より複雑な印刷情報に対応でき、高速印刷が可能になる。
　　　【００６１】
　　【発明の効果】
　本発明のマイククロコンピュータ装置またはプリンタ装置では、任意の印刷情報に予めタグ番号を付けて、その印刷情報とタグ番号とを管理している。
　このため、印刷する際に、マイクロコンピュータ側からは、タグ番号だけを出力すれば、プリンタ装置側では、そのタグ番号に対応する印刷情報に基づいて印刷を実行することが可能なので、印刷情報を高速に印刷できる。
【図面の簡単な説明】
　　【図１】
　本発明の第１実施例によるマイクロコンピュータ装置の全体構成図である。
　　【図２】
　図１のマイクロコンピュータ装置の印刷情報格納手段の処理を示すフローチャートである。
　　【図３】
　図１のマイクロコンピュータ装置のタグ番号登録手段のフローチャートである。
　　【図４】
　図１のマイクロコンピュータ装置のタグ番号登録処理前と，タグ番号登録処理後の比較例示図である。
　　（図５）
　図１のマイクロコンピュータ装置の印刷情報出力処理のフローチャートである。
　　【図６】
　本発明の第１実施例によるプリンタ装置の全体構成図である。
　　【図７】
　図６のプリンタ装置のタグ番号情報登録処理のフローチャートである。
　　【図８】
　図６のプリンタ装置の印刷実行処理のフローチャートである。
　　【図９】
　本発明の第２実施例によるマイクロコンピュータ装置の全体構成図である。
　　【図１０】
　本発明の第３実施例によるマイクロコンピュータ装置の全体構成図である。
　　【図１１】
　図１０のマイクロコンピュータ装置のタグ番号登録処理のフローチャートである。
　　【図１２】
　図１０のマイクロコンピュータ装置の印刷情報出力処理のフローチャートである。
　　【図１３】
　本発明の第４実施例によるプリンタ装置の全体構成図である。
　　【図１４】
　本発明の第５実施例によるプリンタ装置の全体構成図である。
　　【図１５】
　図１４のプリンタ装置の印刷実行処理のフローチャートである。
　　【図１６】
　従来のマイクロコンピュータ装置の全体構成図である。
　　【図１７】
　図１６のマイクロコンピュータ装置の印刷情報格納処理のフローチャートである。
　　【図１８】
　図１６のマイクロコンピュータ装置の印刷情報出力処理のフローチャートである。
　　【図１９】
　従来のプリンタ装置の全体構成図である。
　　【図２０】
　図１９のプリンタ装置の印刷実行手段のフローチャートである。
　　【符号の説明】
　１　　　マイククロコンピュータ装置
　３　　　ＲＯＭ
　３ｄ　　タグ番号情報登録手段
　４　　　ＲＡＭ
　４ｃ　　タグ番号情報登録エリア
　６　　　出力部
　８　　　キーボード
　９　　　メモリ
　９ａ　　図形表示手段
　９ｂ　　印刷情報出力手段
　９ｃ　　印刷情報格納手段
　９ｄ　　印刷情報テーブル
　９ｅ　　タグ番号情報エリア
　９ｆ　　タグ番号登録手段
　１１　　表示装置
　１２　　補助記憶装置
　１５　　ハードディスクインタフェース
　１６　　ハードディスク
　１６ａ　タグ番号情報登録エリア１６ａ
　１７　　補助記憶装置
　１８　　ハードディスクインタフェース
　１９　　ハードディスク
　２１　　ファイルサーバ
　２２　　ディスク
　２３　　ネットワーク
　１０１　プリンタ装置
　２０１　マイクロコンピュータ装置
　３０１　マイクロコンピュータ装置
　４０１　プリンタ装置
　５０１　プリンタ装置